(57)【特許請求の範囲】
【請求項１】
表示画面と縁部とを有した表示装置と、
前記表示画面の前記縁部の少なくとも一部を覆った第一筐体部と、
前記表示装置の前記表示画面とは反対側に位置された第二筐体部と、
前記表示装置の前記表示画面とは反対側で前記第二筐体部と前記表示装置との間に位置された第三筐体部と、
前記第一筐体部の一端部に設けられた第一結合部と、
前記第二筐体部および前記第三筐体部のうち少なくとも一方の一端部で前記第一結合部と結合される第二結合部と、
前記第一筐体部の他端部に設けられた第三結合部と、
前記第二筐体部および前記第三筐体部のうち少なくとも一方の他端部で前記第三結合部と結合される第四結合部と、
前記第二筐体部および前記第三筐体部のうち少なくとも一つに取り付けられ、前記第三結合部および前記第四結合部を覆う機能部品と、
を備えた電子機器。
【請求項２】
前記第三結合部と前記第四結合部とを結合した結合具を備え、
前記機能部品が前記結合具を覆う、請求項１に記載の電子機器。
【請求項３】
前記第三結合部と前記第四結合部とは前記表示画面の交叉方向に近付いて結合された、請求項１または２に記載の電子機器。
【請求項４】
前記第三結合部と前記第四結合部とは前記表示画面に沿った方向に近付いて結合された、請求項１または２に記載の電子機器。
【請求項５】
前記第三結合部の少なくとも一部は、前記機能部品に設けられた凹部に収容された、請求項１〜４のうちいずれか一つに記載の電子機器。
【請求項６】
前記結合具が前記表示装置の前記表示画面とは反対側に位置された、請求項２に記載の電子機器。
【請求項７】
前記結合具は、前記表示画面に沿った方向に延びた、請求項６に記載の電子機器。
【請求項８】
前記第三結合部と前記第四結合部とは前記結合具によって所定範囲内で変位可能に接続された、請求項６または７に記載の電子機器。
【請求項９】
前記第二筐体部と前記第三筐体部とを結合する第二結合具を備え、
前記第二結合具の少なくとも一部は、前記表示装置で覆われた、請求項１〜８のうちいずれか一つに記載の電子機器。
【請求項１０】
前記第一筐体部は合成樹脂材料で構成され、前記第二筐体部および前記第三筐体部は金属材料で構成された、請求項１〜９のうちいずれか一つに記載の電子機器。
【請求項１１】
電子部品の一部を覆った第一筐体部と、
前記第一筐体部で覆われた部分とは異なる前記電子部品の部分を覆った第二筐体部と、
前記第一筐体部の一端部に設けられた第一結合部と、
前記第二筐体部の一端部で前記第一結合部と結合される第二結合部と、
前記第一筐体部の他端部に設けられた第三結合部と
前記第二筐体部の他端部で前記第三結合部と結合される第四結合部と、
前記第二筐体部に取り付けられ、前記第三結合部および前記第四結合部を覆った機能部品と、
を備えた電子機器。
【請求項１２】
前記第三結合部と前記第四結合部とを結合した結合具を備え、
前記機能部品が前記結合具を覆う、請求項１１に記載の電子機器。
【発明の詳細な説明】
【技術分野】
【０００１】
本発明の実施形態は、電子機器に関する。
【背景技術】
【０００２】
従来、筐体の外側に締結部材を露出させないように構成された電子機器が知られている。
【先行技術文献】
【特許文献】
【０００３】
【特許文献１】特開２００４−２３４５０６号公報
【発明の概要】
【発明が解決しようとする課題】
【０００４】
この種の電子機器では、一例としては部品点数がより少ないなど、より不都合の少ないあるいはより利点のある構成が求められている。
【０００５】
そこで、本発明の実施形態は、一例としては部品点数がより少ないなど、より不都合の少ないあるいは利点のある電子機器を得ることを、目的の一つとする。
【課題を解決するための手段】
【０００６】
本発明の実施形態にかかる電子機器は、表示装置と、第一筐体部と、第二筐体部と、第三筐体部と、第一結合部と、第二結合部と、第三結合部と、第四結合部と、機能部品と、を備えた。表示装置は、表示画面と縁部とを有した。第一筐体部は、表示画面の縁部の少なくとも一部を覆った。第二筐体部は、表示装置の表示画面とは反対側に位置された。第三筐体部は、表示装置の表示画面とは反対側で第二筐体部と表示装置との間に位置された。第一結合部は、第一筐体部の一端部に設けられた。第二結合部は、第二筐体部および第三筐体部のうち少なくとも一方の一端部で第一結合部と結合される。第三結合部は、第一筐体部の他端部に設けられた。第四結合部は、第二筐体部および第三筐体部のうち少なくとも一方の他端部で第三結合部と結合される。機能部品は、第二筐体部および第三筐体部のうち少なくとも一つに取り付けられ、第三結合部および第四結合部を覆う。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、図１のIII−III断面図である。
【図４】図４は、図１のIV−IV断面図である。
【図５】図５は、第２実施形態にかかる電子機器の一例が示された斜視図である。
【図６】図６は、第２実施形態にかかる電子機器の一例が示された正面図である。
【図７】図７は、第２実施形態にかかる電子機器の一例が示された背面図である。
【図８】図８は、第２実施形態にかかる電子機器の一例が示された側面図である。
【図９】図９は、第２実施形態にかかる電子機器の一例が示された側面図であって、図８とは別の方向から見た図である。
【図１０】図１０は、第２実施形態にかかる電子機器の一例が示された側面図であって、図８，９とは別の方向から見た図である。
【図１１】図１１は、第２実施形態にかかる電子機器の一例が示された側面図であって、図８〜１０とは別の方向から見た図である。
【図１２】図１２は、第２実施形態にかかる電子機器の一例が示された分解斜視図である。
【図１３】図１３は、第２実施形態にかかる電子機器の内部の構成の一例が示された平面図である。
【図１４】図１４は、図６のXIV−XIV断面図である。
【図１５】図１５は、第２実施形態にかかる電子機器がドッキングステーションに保持された状態の一例が示された斜視図である。
【図１６】図１６は、第２実施形態にかかる電子機器がドッキングステーションに保持された状態の一例が示された側面図である。
【図１７】図１７は、第２実施形態にかかる電子機器の第一部材の一例が示された斜視図である。
【図１８】図１８は、第２実施形態にかかる電子機器の第二部材の一例が示された斜視図である。
【図１９】図１９は、第２実施形態にかかる電子機器の第三部材の一例が示された斜視図である。
【図２０】図２０は、第２実施形態にかかる電子機器のバッテリを取り外した筐体の一例が示された斜視図である。
【図２１】図２１は、第２実施形態にかかる電子機器のバッテリを取り外した筐体の一例が示された斜視図であって、別の角度から見た図である。
【図２２】図２２は、第２実施形態にかかる電子機器のバッテリを取り外した筐体の一例が示された斜視図である。
【図２３】図２３は、第２実施形態にかかる電子機器のバッテリを取り外した筐体の一例が示された斜視図であって、別の角度から見た図である。
【図２４】図２４は、第２実施形態にかかる電子機器のバッテリを取り外した筐体の一部の一例が示された斜視図である。
【図２５】図２５は、第２実施形態にかかる電子機器のバッテリを取り外した筐体の一部の一例が示された斜視図であって、別の角度から見た図である。
【図２６】図２６は、図２４のXXVI−XXVI断面図である。
【図２７】図２７は、第２実施形態にかかる電子機器の第一部材の一部の一例が示された斜視図である。
【図２８】図２８は、第２実施形態にかかる電子機器の第二部材の一部の一例が示された斜視図である。
【図２９】図２９は、図６のXXIX−XXIX断面図である。
【図３０】図３０は、第２実施形態にかかる電子機器の第二部材および第三部材の一例が示された斜視図である。
【図３１】図３１は、実施形態の第１変形例にかかる電子機器の一例が示された斜視図である。
【図３２】図３２は、実施形態の第２変形例にかかる電子機器の一例が示された分解断面図（一部側面図）である。
【図３３】図３３は、実施形態の第２変形例にかかる電子機器の一例が示された断面図（一部側面図）である。
【図３４】図３４は、実施形態の第３変形例にかかる電子機器の一例が示された分解断面図（一部側面図）である。
【図３５】図３５は、実施形態の第３変形例にかかる電子機器の一例が示された断面図（一部側面図）である。
【図３６】図３６は、実施形態の第４変形例にかかる電子機器の一例が示された断面図（一部側面図）である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。また、各図では、便宜上、方向（Ｘ方向、Ｙ方向、Ｚ方向）が示されている。Ｘ方向は、テレビジョン受像機の表示画面に対する正面視での長手方向、Ｙ方向は、表示画面に対する正面視での短手方向、Ｚ方向は表示画面に対する正面視での前後方向（奥行方向、筐体の厚さ方向）である。Ｘ方向、Ｙ方向、およびＺ方向は、相互に直交している。
【０００９】
また、以下の実施形態では、電子機器がテレビジョン受像機、あるいはタブレット型もしくはスレート型のパーソナルコンピュータとして構成された場合が例示されるが、本実施形態にかかる電子機器は、これらには限定されない。本実施形態にかかる電子機器は、例えば、ノート型、デスクトップ型のパーソナルコンピュータや、スマートフォン、スマートテレビ、スマートブック、携帯電話機、ＰＤＡ（personal digital assistant）、映像表示装置、テレビ電話機等の種々の電子機器として構成することができる。
【００１０】
＜第１実施形態＞
本実施形態にかかる電子機器の一例であるテレビジョン受像機１Ａは、図１，２に示されるように、支持部２Ａ（支部、台、スタンド）と、筐体３Ａと、を備える。支持部２Ａは、机や、棚、台等の載置部（載置面、図示されず）上に載置され、筐体３Ａを支持する。支持部２Ａは、筐体３Ａを固定的に支持してもよいし、移動可能（回動可能、スライド可能）に支持してもよい。筐体３Ａの支持部２Ａに対する回動形態としては、例えばチルトや、スイベル、ピボット等がある。
【００１１】
筐体３Ａは、図１に示されるように、正面視では矩形状（本実施形態では一例として長方形状）に構成されている。また、筐体３Ａは、図２に示されるように、前後方向に薄い扁平な直方体状に構成されている。筐体３Ａは、前面３ａ（正面、面、第一面、第一面部）とこの反対側の後面３ｂ（背面、面、第二面、第二面部）と、を有する。前面３ａと後面３ｂとは略並行している。また、筐体３Ａは、図１に示されるように、正面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。端部３ｄ，３ｆは、短辺部の一例である。
【００１２】
また、筐体３Ａは、前面３ａを有する壁部３ｋ（第一部分、プレート、フレーム、前壁部、表壁部、天壁部）と、後面３ｂを有する壁部３ｍ（第二部分、プレート、後壁部、裏壁部、底壁部）と、を有する。壁部３ｋ，３ｍは、矩形状（本実施形態では一例として長方形状）である。また、筐体３Ａは、壁部３ｋと壁部３ｍとの間に亘った側面３ｐ（面、周面、第三面）を有する四つの壁部３ｎ（第三部分、プレート、側壁部、端壁部、立壁部、亘部）を有する。そして、壁部３ｋには、一例としては矩形状の開口部３ｒが設けられている。
【００１３】
さらに、筐体３Ａは、複数の部品（分割体、部材）が組み合わせられて構成されることができる。筐体３Ａは、一例としては、少なくとも壁部３ｋを含む第一部材３Ｆｒ（第一筐体部、第一部分、前側部材、カバー）と、少なくとも壁部３ｍを含む第二部材３Ｒｒ（第二筐体部、第二部分、後側部材、ベース、ボトム）とを有する。壁部３ｎは、第一部材３Ｆｒおよび第二部材３Ｒｒのうち少なくともいずれか一方（例えば、第二部材３Ｒｒ）に含まれることができる。また、筐体３Ａは、第一部材３Ｆｒおよび第二部材３Ｒｒとは別に、これらの間に位置した第三部材３Ｍｄ（第三筐体部、第三部分、中間部材、隔部材、障壁部材、壁部材、介在部材、インナプレート、ミドルプレート、ミドルフレーム、図３，４参照）を有する。その場合、壁部３ｎは、第三部材３Ｍｄに含まれることもできる。筐体３Ａは、金属材料や、合成樹脂材料等で構成されることができる。
【００１４】
筐体３Ａ内には、表示装置４（表示部、ディスプレイ、パネル）が収容されている。表示装置４の、前面３ａ側に位置した表示画面４ａは、開口部３ｒを介して筐体３Ａの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１５】
表示装置４の前側（表側、壁部３ｋ側）には、透明な比較的薄い矩形状の入力操作パネル５（一例としてはタッチパネル、タッチセンサ、操作面）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ａの前方（外方）へ出る。入力操作パネル５は、入力部の一例である。
【００１６】
筐体３Ａ内には、表示装置４の後側（裏側、背後側、壁部３ｍ側、表示画面４ａとは反対側）に、複数の基板６，７（回路基板）が収容されている。基板６，７は、相異なる位置に配置され、いずれも、表示装置４と並行して設けられている。また、基板６，７は、壁部３ｋ，３ｍ，３ｎ等と離間した状態で、すなわち、壁部３ｋ，３ｍ，３ｎ等との間に空間が形成された状態で、設けられている。基板６，７は、表示装置４に沿って並べて配置され、筐体３Ａの厚さ方向には重なり合わないのが好適である。また、基板６，７は、例えばねじ等の固定具によって、筐体３Ａ（第二部材３Ｒｒまたは第三部材３Ｍｄ）に固定されている。
【００１７】
図１に示される基板６，７（第一基板、第一回路基板、制御基板、メイン基板）には、ＣＰＵ（central processing unit）等の複数の電子部品（部品、素子、図示されず）が実装されている。電子部品には、発熱体が含まれる。また、発熱量の大きな電子部品（発熱体）には、冷却機構（放熱部、受熱部、図示されず）を設けることができる。基板６，７および電子部品によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１８】
また、本実施形態では、一例として、図１に示されるように、筐体３Ａの端部３ｅには、バッテリ１８（モジュール、部品、電子部品、着脱部品、交換部品）を着脱可能に収容したバッテリ収容部３ｓが設けられている。具体的に、バッテリ収容部３ｓは、筐体３Ａの端部３ｅの、支持部２Ａの両側の角部３ｈ，３ｉに寄せて二箇所に位置されている。バッテリ収容部３ｓは、端部３ｅが反対側の端部３ｃに向けて凹んだ（切り欠かれた）矩形状の凹部（開口部）として構成されている。バッテリ１８は、この凹部（開口部）を覆う（塞ぐ、埋める）ように取り付けられている。バッテリ１８は、端部３ｅに沿って延びている。本実施形態では、一例として、交流電源が使用できないときなどに、バッテリ１８によってテレビジョン受像機１Ａの電源電力を得ることができる。
【００１９】
また、本実施形態では、一例として、図３に示されるように、バッテリ収容部３ｓが設けられた端部３ｅとは反対側の端部３ｃでは、第一部材３Ｆｒと第二部材３Ｒｒおよび第三部材３Ｍｄのうち少なくともいずれか一方（本実施形態では、一例として第二部材３Ｒｒ）との結合部３０ｅ，３０ｈ（係部、爪部、フック部、引っ掛かり部）は、筐体３Ａの壁部３ｎより筐体３Ａの内側に位置されている。すなわち、結合部３０ｅ，３０ｈは、第一部材３Ｆｒおよび第三部材３Ｍｄのうち少なくともいずれか一方に覆われている。よって、本実施形態によれば、一例としては、結合部３０ｅ，３０ｈが露出するのを抑制することができる。よって、例えば、結合が解除されやすくなる、美観が損なわれやすくなる等、結合部３０ｅ，３０ｈが筐体３Ａの外に露出することによる不都合が生じるのを、抑制することができる。
【００２０】
そして、本実施形態では、一例として、第二部材３Ｒｒおよび第三部材３Ｍｄのうち少なくともいずれか一方（本実施形態では、一例として第二部材３Ｒｒ）の結合部３０ｈは、第一部材３Ｆｒの結合部３０ｅより筐体３Ａの外側に位置されている。よって、本実施形態では、一例として、結合部３０ｅ，３０ｈの係わり（結合）によって、第一部材３Ｆｒが第二部材３Ｒｒおよび第三部材３Ｍｄのうち少なくともいずれか一方（本実施形態では、一例として第二部材３Ｒｒ）に対して端部３ｅ側から端部３ｃ側へ（図３の下側から上側へ）移動するのが抑制されている。また、本実施形態では、結合部３０ｅ，３０ｈの係わり（結合）によって、第一部材３Ｆｒと第二部材３Ｒｒおよび第三部材３Ｍｄとが筐体３Ａの厚さ方向に離間するのが抑制されている。なお、本実施形態では、結合部３０ｅ，３０ｈの係わり（結合）によっては、第一部材３Ｆｒが第二部材３Ｒｒおよび第三部材３Ｍｄのうち少なくともいずれか一方（本実施形態では、一例として第二部材３Ｒｒ）に対して端部３ｃ側から端部３ｅ側へ（図３の上側から下側へ）移動するのは抑制されていない。結合部３０ｅは第一結合部の一例であり、結合部３０ｈは第二結合部の一例である。
【００２１】
また、本実施形態では、一例として、図４に示されるように、バッテリ収容部３ｓが設けられた端部３ｅでは、第一部材３Ｆｒと第二部材３Ｒｒおよび第三部材３Ｍｄのうち少なくともいずれか一方（本実施形態では、一例として第三部材３Ｍｄ）との結合部３０ｃ，３０ｙ（係部、爪部、フック部、引っ掛かり部）は、筐体３Ａの壁部３ｎより筐体３Ａの外側に位置されている。また、結合部３０ｃ，３０ｙは、結合具の一例としてのねじ１０によって結合されている。結合部３０ｃは、開口部３１ｋ（貫通孔や切欠等、本実施形態では、一例として貫通孔）が設けられた突出部３１ｍを有する。突出部３１ｍは、壁部３ｋから壁部３ｍに向けて、筐体３Ａの厚さ方向に突出している。突出部３１ｍは、壁部３ｎの外面に沿って延びている。すなわち、突出部３１ｍ（結合部３０ｃ）は、筐体３Ａの壁部３ｎを筐体３Ａの外側から覆っている。結合部３０ｙは、壁部３ｎに設けられている。結合部３０ｙには、結合具としてのねじ１０が固定される部分として雌ねじ孔３０ｙ１が設けられている。ねじ１０は、筐体３Ａの外側から開口部３１ｋに通され、雌ねじ孔３０ｙ１に結合される。これにより、結合部３０ｃ，３０ｙが、結合具としてのねじ１０によって結合される。
【００２２】
本実施形態では、一例として、第二部材３Ｒｒおよび第三部材３Ｍｄのうち少なくともいずれか一方（本実施形態では、一例として第三部材３Ｍｄ）の結合部３０ｙは、第一部材３Ｆｒの結合部３０ｃより筐体３Ａの内側に位置されている。よって、本実施形態では、一例として、ねじ１０が結合されていない状態での結合部３０ｃ，３０ｙの係わりによって、第一部材３Ｆｒが第二部材３Ｒｒおよび第三部材３Ｍｄのうち少なくともいずれか一方（本実施形態では、一例として第二部材３Ｒｒ）に対して端部３ｅ側から端部３ｃ側へ（図４の右側から左側へ）移動するのが抑制されている。なお、本実施形態では、ねじ１０が結合されていない状態での結合部３０ｅ，３０ｈの係わりによっては、第一部材３Ｆｒが第二部材３Ｒｒおよび第三部材３Ｍｄのうち少なくともいずれか一方（本実施形態では、一例として第二部材３Ｒｒ）に対して端部３ｃ側から端部３ｅ側へ（図４の左側から右側へ）移動するのは抑制されていない。結合部３０ｃは第三結合部の一例であり、結合部３０ｙは第四結合部の一例である。
【００２３】
すなわち、本実施形態では、結合部３０ｅ，３０ｈでの結合、ならびに結合部３０ｃ，３０ｙでの結合の双方について、第一部材３Ｆｒが、第二部材３Ｒｒおよび第三部材３Ｍｄに対して、端部３ｃ側から端部３ｅ側へ移動するのが抑制されていない。しかし、本実施形態では、第一部材３Ｆｒが、第二部材３Ｒｒおよび第三部材３Ｍｄに対して、端部３ｃ側から端部３ｅ側へ移動するのが、結合具としてのねじ１０によって抑制されている。このような構成により、一例としては、端部３ｃ，３ｅの双方にねじ１０等の結合具を設けることなく、比較的簡素な構成によって、筐体３Ａを構成する第一部材３Ｆｒと第二部材３Ｒｒおよび第三部材３Ｍｄとを結合し、第一部材３Ｆｒと第二部材３Ｒｒおよび第三部材３Ｍｄとがずれるのを抑制することができる。
【００２４】
さらに、本実施形態では、一例として、結合具としてのねじ１０の頭部１０ａが、機能部品としてのバッテリ１８によって覆われ、隠されている。よって、例えば、ねじ１０による結合部３０ｃ，３０ｙの結合が解除されやすくなる、美観が損なわれやすくなる等、ねじ１０が露出することによる不都合が生じるのが、抑制されやすい。本実施形態によれば、一例としては、結合具としてのねじ１０を、専用の蓋などで覆う場合と比べて、部品点数を少なくすることができる等の利点がある。
【００２５】
また、本実施形態では、一例として、結合部３０ｃ，３０ｙを結合する結合具としてのねじ１０は、表示装置４に対して表示画面４ａの反対側に位置されている。よって、一例としては、ねじ１０が表示装置４に対して表示画面４ａに沿った方向に重なった（ねじ１０が表示装置４に対して側面４ｃの法線方向に位置された）場合に比べて、正面視で表示画面４ａの側面４ｃ（縁）から筐体３Ａが外側へ張り出す長さをより小さくすることができる。よって、一例としては、表示装置４の大きさに対する筐体３Ａの大きさがより小さくなりやすい。また、ねじ１０は、表示画面４ａに沿った方向（筐体３Ａの厚さ方向との交叉方向）に沿って延びている。よって、一例としては、ねじ１０が筐体３Ａの厚さ方向に延びた場合に比べて、筐体３Ａの厚さがより小さくなりやすい。
【００２６】
また、本実施形態では、一例として、第二部材３Ｒｒおよび第三部材３Ｍｄのうち少なくともいずれか一方（本実施形態では、一例として第三部材３Ｍｄ）に固定されたねじ１０と突出部３１ｍ（結合部３０ｃ、第一部材３Ｆｒ）との間には、隙間ｇ１，ｇ２が設けられている。すなわち、ねじ１０の頭部１０ａは壁部３ｎに接触し、頭部１０ａと突出部３１ｍとの間には、隙間ｇ１，ｇ２が設けられる。隙間ｇ１は、筐体３Ａの厚さ方向に沿った隙間であり、隙間ｇ２は、表示画面４ａに沿った方向の隙間である。このような構成により、寸法ばらつきの累積等によって結合部３０ｃ（の開口部３１ｋ）と結合部３０ｙ（の雌ねじ孔３０ｙ１）との間の位置のずれが大きくなった場合にあっても、ねじ１０が雌ねじ孔３０ｙ１に固定され結合部３０ｃ，３０ｙによって第一部材３Ｆｒと第二部材３Ｒｒおよび第三部材３Ｍｄのうち少なくともいずれか一方（本実施形態では、一例として第三部材３Ｍｄ）とが結合された状態をより確実に得ることができる。この結合部３０ｃ，３０ｙの結合により、端部３ｅにおいて、第一部材３Ｆｒと第二部材３Ｒｒおよび第三部材３Ｍｄのうち少なくともいずれか一方（本実施形態では、一例として第三部材３Ｍｄ）とは、この隙間ｇ１，ｇ２の範囲内で移動可能に繋がっている。また、この結合部３０ｃ，３０ｙの結合により、第一部材３Ｆｒと第二部材３Ｒｒおよび第三部材３Ｍｄのうち少なくともいずれか一方（本実施形態では、一例として第三部材３Ｍｄ）とは、遊びを有した状態で接続していると言うことができる。すなわち、本実施形態によれば、このような状態での結合によって、筐体３Ａにひずみが生じるのが抑制されやすい。
【００２７】
＜第２実施形態＞
電子機器１Ｂの筐体３Ｂは、本実施形態では、一例として、図５〜１１に示されるように、正面視および背面視では矩形状（本実施形態では、一例として長方形状）に構成されている。また、筐体３Ｂは、本実施形態では、一例として、図８〜１１に示されるように、前後方向に薄い扁平な直方体状に構成されている。筐体３Ｂは、前面３ａ（正面、面、第一面、第一面部）とこの反対側の後面３ｂ（背面、面、第二面、第二面部）と、を有する。前面３ａと後面３ｂとは略並行している。また、筐体３Ｂは、図５，８〜１１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００２８】
また、筐体３Ｂは、前面３ａを有する壁部３ｋ（第一壁部、第一部分、プレート、フレーム、前壁部、表壁部、天壁部）と、後面３ｂを有する壁部３ｍ（第二壁部、第二部分、プレート、後壁部、裏壁部、底壁部）と、を有する。壁部３ｋ，３ｍは、矩形状（本実施形態では、一例として長方形状）である。また、筐体３Ｂは、壁部３ｋと壁部３ｍとの間に亘った側面３ｐ（面、周面、第三面）を有する四つの壁部３ｎ（第三壁部、第三部分、プレート、側壁部、端壁部、立壁部、亘部）を有する。壁部３ｋには、一例としては矩形状の開口部３ｒが設けられている。
【００２９】
さらに、筐体３Ｂは、複数の部品（分割体）が組み合わせられて構成されることができる。筐体３Ｂは、本実施形態では、一例として、少なくとも壁部３ｋを含む第一部材３Ｆｒ（第一筐体部、第一部分、前側部材、カバー）と、少なくとも壁部３ｍを含む第二部材３Ｒｒ（第二筐体部、第二部分、後側部材、ベース、ボトム）とを有する。壁部３ｎは、第一部材３Ｆｒおよび第二部材３Ｒｒのうち少なくともいずれか一方（例えば、第二部材３Ｒｒ）に含まれる。また、本実施形態では、図１２，１４に示されるように、筐体３Ｂは、第一部材３Ｆｒおよび第二部材３Ｒｒとは別に、これらの間に位置した第三部材３Ｍｄ（第三筐体部、第三部分、中間部材、隔部材、障壁部材、壁部材、介在部材、インナプレート、ミドルプレート、ミドルフレーム）を有する。壁部３ｎの一部は、第三部材３Ｍｄに含まれることができる。筐体３Ｂは、金属材料や、合成樹脂材料等で構成されることができる。一例として、第二部材３Ｒｒおよび第三部材３Ｍｄは、比較的剛性の高い材料（例えば、マグネシウム合金等の金属材料等）で構成されることができ、第一部材３Ｆｒは、比較的剛性の低い材料（第二部材３Ｒｒおよび第三部材３Ｍｄより剛性の低い材料、例えば合成樹脂材料等）で構成されることができる。なお、第一部材３Ｆｒ、第二部材３Ｒｒ、および第三部材３Ｍｄには、リブ等の壁部（突出部、突出壁部）が設けられることができる。壁部により、筐体３Ｂの剛性が高くなりやすい。また、第三部材３Ｍｄには、貫通孔等の開口部が設けられることができる。開口部により、一例としては、筐体３Ｂをより軽量に構成することができる。また、一例としては、筐体３Ｂ内での空気の流れを確保しやすくなる。なお、第二部材３Ｒｒおよび第三部材３Ｍｄのアセンブリ（図３０等）は、第二筐体部の一例と言うことができる。
【００３０】
また、本実施形態では、一例として、図９，１１に示されるように、長手方向を横向きにした使用状態で下側または手前側（ユーザに近い側）となる第一部３Ｂａの厚さが、当該使用状態で上側または奥側（ユーザから遠い側）となる第二部３Ｂｂの厚さより薄い。このため、机等の載置面Ｐ上に載せて使用する状態では、筐体３Ｂの前面３ａおよび表示画面４ａの載置面Ｐ（水平面）からの高さが、手前側（下側）から奥側（上側）に向かうにつれて、高くなる。よって、本実施形態によれば、一例としては、電子機器１Ｂに対して図９の左側（図１１の右側）に位置したユーザにとって、表示画面４ａが所謂チルトの状態となり、ユーザが表示画面４ａを見やすいという利点がある。図９，１１の状態での表示画面４ａの載置面Ｐとの角度（鈍角側）は、１３５°以上でありかつ１８０°未満であるのが好適である。本実施形態では、一例として、筐体３Ｂの後面３ｂに複数の突出部３ｖ（３ｖ，３ｖ）が設けられている。図９，１１から明らかとなるように、図９，１１の第二部３Ｂｂに位置された突出部３ｖの先端部分と表示画面４ａとの距離は、図９，１１の第一部３Ｂａに位置された突出部３ｖの先端部分と表示画面ｎ４ａとの距離より長い。本実施形態では、図９の左側（図１１の右側）の突出部３ｖ（の先端部分）は第一接触部の一例であり、図９の右側（図１１の左側）の突出部３ｖ（の先端部分）は第二接触部の一例である。
【００３１】
そして、筐体３Ｂには、部品１６を出入可能に収容した部品収容部１７が設けられている。部品収容部１７の開口部１７ａは、本実施形態では、一例として、端部３ｄに開口している。この開口部１７ａは、いずれかの使用姿勢で上側となり、かつ非使用姿勢では下側とならない端部３ｄに設けられている。このような構成によれば、使用姿勢では、開口部１７ａが上側に位置される。よって、一例としては、部品１６が部品収容部１７から重力の作用によって脱落するのを抑制しやすくなる。部品１６は、具体的には、例えば、スタイラス、スタイラスペン、ペン等である。
【００３２】
また、本実施形態では、一例として、図５，６に示されるように、バッテリ１８（モジュール、部品、電子部品、着脱部品、交換部品）と、表示装置４とが、筐体３Ｂの厚さ方向には重ならず、厚さ方向と直交する方向（前面３ａまたは後面３ｂに沿う方向、Ｘ方向またはＹ方向、本実施形態では一例として、Ｙ方向）に並んで配置されている。よって、一例としては、バッテリ１８と表示装置４とが筐体３Ｂの厚さ方向に重なった場合に比べて、筐体３Ｂをより薄く構成することができる。また、一例としては、バッテリ１８と表示装置４とが筐体３Ｂの厚さ方向に重なった場合に比べて、バッテリ１８をより厚くしやすくなり、ひいては、バッテリ１８の単位体積あたりの容量を高めやすくなる。また、図９，１１に示されるように、本実施形態では、筐体３Ｂは、薄い第一部３Ｂａと、厚い第二部３Ｂｂとを有している。バッテリ１８を収容するバッテリ収容部３ｓ（バッテリ支持部）は、厚い第二部３Ｂｂの端部３ｃに設けられている。よって、一例としては、バッテリ収容部３ｓが第一部３Ｂａに設けられた場合に比べて、バッテリ１８を厚くしやすくなり、ひいては、バッテリ１８の単位体積あたりの蓄電容量を高めやすくなる。
【００３３】
また、本実施形態では、一例として、図１５に示されるように、バッテリ収容部３ｓが設けられた端部３ｃと反対側の端部３ｅが、スタンド２Ｂに支持される。よって、一例としては、作業者（ユーザ等）は、電子機器１Ｂがスタンド２Ｂに支持された状態で、バッテリ１８を筐体３Ｂに着脱することができる。また、端部３ｅには、図７，１０に示されるように、スタンド２Ｂのコネクタ（図示されず）と接続されるコネクタ１９が設けられている。よって、一例としては、バッテリ収容部３ｓおよびコネクタ１９が、相互に干渉することなく、筐体３Ｂに設けられやすい。なお、端部３ｅには、スピーカカバー３ｔも露出している。コネクタ１９およびスピーカカバー３ｔは、端部３ｅの壁部３ｎに設けられた開口部３ｕを介して露出している。コネクタ１９は、第一コネクタの一例である。
【００３４】
また、本実施形態では、一例として、図５，６，９，１１に示されるように、筐体３Ｂの前面３ａや側面３ｐには、操作部２０やコネクタ２１が設けられている。操作部２０は、押しボタンや、押しスイッチ、スライドスイッチ、ポインティングデバイス等であることができる。コネクタ２１は、電源ケーブル用のコネクタや、ＵＳＢコネクタ、イヤホンやマイクのコネクタ等である。操作部２０やコネクタ２１は、筐体３Ｂの壁部３ｋ，３ｎに設けられた開口部３ｕを介して露出している。また、前面３ａには、カメラ３ｘ（カメラモジュール、撮像装置）を設けることができる。
【００３５】
また、本実施形態では、一例として、図５，７，９，１０，１４に示されるように、筐体３Ｂの後面３ｂや側面３ｐには、電子部品１２（図１４等参照）の冷却等に用いる空気を導入したり排出したりする通気口２２が設けられている。本実施形態では、一例として、後面３ｂ（壁部３ｍ）に、空気を導入する導入口２２ａが設けられ、側面３ｐ（壁部３ｎ、端部３ｄ）に、空気を排出する排出口２２ｂが設けられている。本実施形態では、導入口２２ａや排出口２２ｂは、壁部３ｍ，３ｎに設けられた複数の小孔２２ｃが集まった部分として設けられている。なお、後面３ｂには突出部３ｖが設けられている。よって、図９，１１に示されるような後面３ｂが載置面Ｐ上に載せられた状態でも、導入口２２ａは塞がれない。また、本実施形態では、筐体３Ｂの薄い第一部３Ｂａと厚い第二部３Ｂｂとの境界部分に、傾斜部３Ｂｃが設けられている。そして、図７に示されるように、導入口２２ａのうちの一つ２２ａ１が、傾斜部３Ｂｃの後面３ｂに設けられている。図９，１１に示されるように、傾斜部３Ｂｃと載置面Ｐとの間の距離は、他の部分と載置面Ｐとの間の距離より大きくなるため、この傾斜部３Ｂｃに設けられた導入口２２ａ１については、空気の通流抵抗を減らしやすくなって、冷却効率をより高めやすくなる。また、本実施形態では、複数の導入口２２ａが設けられている。よって、一例としては、何らかの原因で一つの導入口２２ａが塞がれたような場合にあっても、他の導入口２２ａから空気流を筐体３Ｂ内に導入することができ、冷却性能が損なわれにくくなる。なお、筐体３Ｂ内は、冷却機構２３（図１３，１４等参照）によって冷却してもよいし、自然冷却（対流冷却）によって冷却してもよい。
【００３６】
本実施形態では、一例として、図１２，１４に示されるように、第一部材３Ｆｒと第三部材３Ｍｄとの間に、表示装置４（表示部、ディスプレイ、パネル）が収容されている。表示装置４の、前面３ａ側に位置した表示画面４ａは、開口部３ｒを介して筐体３Ｂの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００３７】
また、本実施形態では、一例として、表示装置４の前側（表側、壁部３ｋ側）には、透明な比較的薄い矩形状の入力操作パネル５（一例としてはタッチパネル、タッチセンサ、操作面）が設けられている。入力操作パネル５は、表示画面４ａを覆っている。操作者（ユーザ等）は、例えば、手指や部品１６（スタイラス）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ｂの前方（外方）へ出る。入力操作パネル５は、入力部の一例である。
【００３８】
そして、本実施形態では、一例として、図１２，１４に示されるように、筐体３Ｂ内には、表示装置４の後側（裏側、背後側、壁部３ｍ側、表示画面４ａとは反対側）、本実施形態では、一例として、第二部材３Ｒｒと第三部材３Ｍｄとの間に、複数の基板６，７，２５が収容されている。基板６，７，２５は、相異なる位置に配置され、いずれも、表示装置４と並行して設けられている。また、基板６，７，２５は、壁部３ｋ，３ｍ，３ｎ等と離間した状態で、すなわち、壁部３ｋ，３ｍ，３ｎ等との間に空間が形成された状態で、設けられている。基板６，７，２５は、表示装置４に沿って並べて配置され、筐体３Ｂの厚さ方向には重なり合わないのが好適である。また、基板６，７，２５は、ねじ等の結合具によって、筐体３Ｂに固定されている。
【００３９】
また、本実施形態では、一例として、基板６（第一基板、第一回路基板、制御基板、メイン基板）には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の電子部品１２（図１４参照、図１４には一部のみ図示）を実装することができる。電子部品１２には、発熱体が含まれる。発熱量の大きな電子部品１２（発熱体）には、冷却機構２３を設けることができる。冷却機構２３は、ヒートシンク（受熱部、図示されず）、ヒートパイプ２３ａ、放熱部２３ｂ、ファン２４等を含んでいる。基板６および電子部品１２によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４０】
また、本実施形態では、一例として、図９，１１，１３からわかるように、基板６，７および冷却機構２３は、筐体３Ｂの厚い第二部３Ｂｂに位置されている。よって、一例としては、基板６，７および冷却機構２３が薄い第一部３Ｂａに位置された場合に比べて、空間をより広く確保しやすくなり、冷却機構２３のファン２４によって流される空気流による冷却効果が得られやすい。また、本実施形態では、一例として、ファン２４および放熱部２３ｂは、規定された（制御された）使用状態で上側となる端部３ｃと端部３ｄとが接続される角部３ｇに設けられている。したがって、一例としては、電子機器１Ｂの使用姿勢によらず、ファン２４および放熱部２３ｂを筐体３Ｂ内の上側に配置することができる。よって、一例としては、熱が筐体３Ｂ内に留まりにくくなる。なお、ファン２４および放熱部２３ｂは、排出口２２ｂに隣接して設けられている。
【００４１】
また、本実施形態では、一例として、基板７は、冷却機構２３との間で基板６を挟む位置（第二部３Ｂｂで基板７、基板６、および冷却機構２３の順に並ぶ位置）に設けられる。このような構成により、外部から吸気された空気が基板６の位置に到達する前に基板７に当たる。よって、一例としては、基板７の放熱効率が高くなりやすい。また、モジュール８Ａ，８Ｂが実装された基板７が、筐体３Ｂ内の部品の中では比較的重量が大きく筐体３Ｂの中央に位置した基板６に対し、他の重量物である冷却機構２３と反対側に位置される。よって、一例としては、電子機器１Ｂの重量バランスがより良くなる。よって、一例としては、ユーザは、電子機器１Ｂを持ち運ぶ際に、より持ちやすい。
【００４２】
また、本実施形態では、一例として、図７，１４に示されるように、筐体３Ｂの壁部３ｍに、ファン２４に近い導入口２２ａ２と、基板６を挟んで導入口２２ａ２の反対側に位置した導入口２２ａ３と、導入口２２ａ２，２２ａ３より発熱体としての電子部品１２に近い導入口２２ａ１と、が設けられている。導入口２２ａ２が設けられたことで、筐体３Ｂ内により効率良く空気流を流すことができる。また、導入口２２ａ３から導入された空気流Ｓは、基板６の後側の第二面６ｂに沿ってファン２４に向けて流れる空気流Ｓ２と、基板６のファン２４の反対側に位置した端部６ｃの外側を通過して（回り込んで、迂回して）基板６の前側の第一面６ａに沿ってファン２４に向けて流れる空気流Ｓ１と、に分けられる。よって、基板６の第一面６ａおよび第二面６ｂの両側に設けられた電子部品１２（発熱体）を冷却することができる。
【００４３】
また、本実施形態では、一例として、図１３に示されるように、基板７およびモジュール８Ａ，８Ｂは、表示装置４に沿って配置されている。また、基板２５には、電子部品１２が設けられている。また、筐体３Ｂ内には、フレキシブルケーブル２７が収容されている。フレキシブルケーブル２７は、基板６，７，２５や、表示装置４、コネクタ１９等の間を、電気的に接続している。フレキシブルケーブル２７は、例えば、フレキシブルプリント配線板や、フラットケーブル等である。
【００４４】
また、図１３に示されるように、筐体３Ｂ内には、複数のアンテナ２６が収容されている。本実施形態では、一つの通信モジュール（例えば、モジュール８Ｂ）に接続された複数のアンテナ２６が、相互に離間して配置されている。本実施形態では、一例として、一つのアンテナ２６は、筐体３Ｂの端部３ｄおよび端部３ｅの近傍（角部３ｈの近傍）に配置され、もう一つのアンテナ２６は、筐体３Ｂの端部３ｅおよび端部３ｆの近傍（角部３ｉの近傍）に配置されている。これにより、一例としては、アンテナ２６の空間ダイバーシティを構成することができる。なお、アンテナ２６とモジュール８Ｂとは、ケーブル２８を介して電気的に接続されている。なお、一方のアンテナ２６を送受信用とし、他方のアンテナ２６を受信専用とするなど、複数のアンテナ２６，２６で機能を分けることもできるし、一方のアンテナ２６を他方のアンテナ２６の予備として利用することもできる。
【００４５】
本実施形態では、一例として、図１５，１６に示されるように、スタンド２Ｂは、第一支持部２ａと、第二支持部２ｂと、を有する。第一支持部２ａは、載置面Ｐ（図１６参照）上に載せられ、土台（台部、底部、下部、基礎部、基底、基底部、載部、脚部、脚、倒れ抑制部、抑制部）として機能する。第二支持部２ｂは、第一支持部２ａ（の底部）から載置面Ｐ上に突出し、電子機器１Ｂの筐体３Ｂを所定の姿勢（位置）で保持する。すなわち、第二支持部２ｂは、保持部（起立部、縦部、上部、受部、持部、覆部、当接部、接触部、ガイド部）として機能する。なお、第一支持部２ａと第二支持部２ｂとは、部品として明確に分けられている必要は無く、部品の部位等であってもよい。また、本実施形態では、一例として、スタンド２Ｂは、第一支持部２ａと第二支持部２ｂとの間に位置され、第一支持部２ａの上方かつ第二支持部２ｂの後方に突出した突出部２ｃを有する。この突出部２ｃは、部品を収容した部品収容部４１としての機能を有するとともに、第一支持部２ａと第二支持部２ｂとの間に介在して、第二支持部２ｂを支持した支持部として機能している。スタンド２Ｂ、第一支持部２ａ、第二支持部２ｂ、および突出部２ｃは、電子機器１Ｂを支持する支持部の一例である。第一支持部２ａ、第二支持部２ｂ、および突出部２ｃは、種々のスペック（形状や、構造、数等）で具現化することができる。スタンド２Ｂは、当該スタンド２Ｂの所定位置（装着位置、保持位置、載置位置）に位置された電子機器１Ｂに、機械的ならびに電気的に接続される。
【００４６】
スタンド２Ｂは、装着された電子機器１Ｂに関する種々の機能を提供することができる。スタンド２Ｂは、例えば、表示画面４ａを起立させるためのスタンドとして機能することができる。この場合、スタンド２Ｂは、表示画面４ａの角度（電子機器１Ｂの姿勢）を可変設定する機能を有することができる。これについては後述する。また、スタンド２Ｂは、例えば、電子機器１Ｂの充電装置として機能することができる。この場合、スタンド２Ｂは、電子機器１Ｂに対して電気的に接続された有線の充電装置として機能することができる他、非接触充電（ワイヤレス給電）を行う充電装置として機能することができる。この場合、非接触充電部は、一例としては、第二支持部２ｂに設けられる。また、スタンド２Ｂは、例えば、電子機器１Ｂに電気的に接続されるコネクタを増やすコネクタ部（コネクタ用ハブ、データや信号等の中継装置）として機能することができる。また、スタンド２Ｂは、例えば、電子機器１Ｂのスピーカとして機能することができる。また、スタンド２Ｂは、例えば、電子機器１Ｂの冷却機能を備えることもできる。その場合、一例としては、スタンド２Ｂの筐体４０内に通気経路やファン等が設けられ、通気経路を通る空気により、電子機器１Ｂの冷却を補助あるいは促進することができる。また、通気経路は、電子機器１Ｂの通気口２２と面した開口部を有することができる。また、一例としては、スタンド２Ｂは、電子機器１Ｂに面した冷却部を有しても良い。また、スタンド２Ｂは、例えば、ＡＣアダプタの機能を備えることもできる。
【００４７】
また、本実施形態では、一例として、スタンド２Ｂは、少なくとも部分的に中空構造を有する。スタンド２Ｂは、筐体４０を有し、筐体４０内に、基板や、コネクタ、電子部品、ハーネス等の各種部品（図示されず）の少なくとも一部が収容されている。筐体４０は、合成樹脂材料や金属材料（本実施形態では、一例として合成樹脂材料）で構成されることができる。また、本実施形態では、一例として、筐体４０内には、フレーム（枠部材、骨格部材、高剛性部材、剛性部材、強度部材、図示されず）が設けられている。フレームは、金属材料や合成樹脂材料（本実施形態では、一例として、金属材料）で構成されることができる。また、本実施形態では、一例として、筐体４０の一部であり突出部２ｃとして構成された部品収容部４１には、基板および当該基板に設けられたコネクタや電子部品等が収容されている。
【００４８】
本実施形態では、一例として、図１５，１６に示されるように、第一支持部２ａは、載置面Ｐに沿った側方視（図１６の視線）では薄く、載置面Ｐと垂直な平面視では矩形状（台形状）の外観を呈し、載置面Ｐに沿う扁平な形状（板状、壁状）に構成されている。また、本実施形態では、一例として、第二支持部２ｂは、第一支持部２ａの端部２ａ２から垂直より後側（電子機器１Ｂを装着した状態での後側、端部２ａ２の反対側の端部２ａ３側）へ僅かに倒れた方向に突出している。第二支持部２ｂは、図１５，１６に示されるように、電子機器１Ｂの筐体３Ｂの一端部（本実施形態では、一例として、端部３ｅ）の一部を、電子機器１Ｂを所定位置（保持位置、保持領域）に装着する（挿入する）方向（本実施形態では、一例として上方）を除く各方向、すなわち、下方、後方、側方（左方および右方）、ならびに前方から囲う（覆う）ように保持する（支持する、持つ、支える）。また、端部３ｅ（図１〜７参照）に沿った部分も、第二支持部２ｂで覆うことができる。また、第二支持部２ｂは、電子機器１Ｂがスタンド２Ｂの所定位置に向けて移動する（スライドする、変位する、挿入される、装着される）際に、電子機器１Ｂの筐体３Ｂを当該所定位置に案内するガイドとしても機能する。すなわち、第二支持部２ｂは、案内部（ガイド部、スライド部、滑部）の一例である。本実施形態では、一例として、第二支持部２ｂは、壁部２ｅ〜２ｈを有する。壁部２ｅ（第一壁、第一壁部、底壁部、下壁部）は、所定位置に保持された筐体３Ｂの下方に位置され、筐体３Ｂを下方から覆う。壁部２ｆ（第二壁、第二壁部、後壁部、背壁部）は、筐体３Ｂの後方に位置され、筐体３Ｂを後方（後側、後面側、背面側、背後側）から覆う。壁部２ｇ（第三壁、第三壁部、側壁部）は、筐体３Ｂの側方に位置され、筐体３Ｂを側方から覆う。壁部２ｈ（第四壁、第四壁部、前壁部）は、筐体３Ｂの前方に位置され、筐体３Ｂを前方から覆う。なお、壁部２ｅは、第一支持部２ａの一部として構成することもできる。
【００４９】
また、本実施形態では、一例として、スタンド２Ｂは、電子機器１Ｂの機能部分を露出させた状態で、あるいは機能部分がスタンド２Ｂの周囲と連通された状態で、電子機器１Ｂを覆っている。一例として、本実施形態では、図１５に示されるように、電子機器１Ｂの前方に対応して、第二支持部２ｂには、開口部２ｉが設けられている。開口部２ｉは、切欠部や貫通孔等（本実施形態では、一例として切欠部）として設けることができる。すなわち、本実施形態では、電子機器１Ｂがスタンド２Ｂに装着された姿勢で、筐体３Ｂの前面３ａの左右両側に位置する端部３ｄ，３ｆに沿った部分であって、表示画面４ａおよび開口部３ｒから外れた部分が、第二支持部２ｂ（の壁部２ｈ）で覆われている。このような構成により、一例としては、表示画面４ａの視認性が確保されやすい。なお、筐体３Ｂの前面３ａの下側に位置する端部３ｅを覆う部材（例えば、第二支持部２ｂ、第一支持部２ａ、筐体４０の一部、筐体４０とは別の部材等）で覆われてもよい。
【００５０】
また、本実施形態では、一例として、スタンド２Ｂは、電子機器１Ｂの筐体３Ｂに設けられた通気口２２が露出した状態で、電子機器１Ｂを保持している。図７，９，１０に示されるように、通気口２２は、筐体３Ｂの第二部３Ｂｂおよび傾斜部３Ｂｃに設けられている。そして、図７，９，１１，１５からわかるように、通気口２２は、第二支持部２ｂの各部の上側の端部２ｊ（縁部、辺部）より上方に位置し、スタンド２Ｂに覆われず、露出している。よって、一例としては、通気口２２を通る空気（空気流）がスタンド２Ｂに妨げられるのが抑制されやすい。また、筐体３Ｂに設けられたコネクタ２１の開口部３ｕや、部品１６を収容した部品収容部１７の開口部１７ａ、操作部２０の開口部３ｕ等も露出している。よって、本実施形態では、一例としては、スタンド２Ｂによって開口部３ｕ，１７ａに対する部品や手指等の接近や操作が妨げられるのが抑制されやすい。また、上記構成により、筐体３Ｂ中で発熱量の大きい領域の一例である筐体３Ｂの第二部３Ｂｂが、スタンド２Ｂから露出する。よって、一例としては、第二部３Ｂｂがスタンド２Ｂで覆われた場合に比べて、放熱性が大きくなりやすい。また、一例としては、冷却効率が高くなりやすい。
【００５１】
また、本実施形態では、一例として、図１７に示されるように、第一部材３Ｆｒ（第一筐体部材）は、正面視および背面視では矩形状（本実施形態では、一例として長方形状）かつ枠状に構成されている。具体的に、第一部材３Ｆｒは、壁部３ｋ，３ｎ１（３ｎ）を有する。壁部３ｎ１（３ｎ）は、壁部３ｋの周縁部で当該壁部３ｋから起立される。第一部材３Ｆｒの中央部には、開口部３ｒが設けられている。開口部３ｒの周縁部としての壁部３ｋおよび前面３ａは、帯状かつ板状に形成されている。また、第一部材３Ｆｒは、突出部３０ｂを有する。突出部３０ｂは、バッテリ収容部３ｓの長手方向端部に位置した第一支持部３０ａ１（図２０参照）を前方から覆う。突出部３０ｂは、壁部３ｋおよび前面３ａから連続して端部３ｄ，３ｆの延長方向に突出している。その先端側は、壁部３ｍおよび後面３ｂ（図９，７参照）側に筐体３Ｂの外側に凸に円弧状に湾曲し、端部３ｃおよび側面３ｐの一部を形成している。図１２に示されるように、第一部材３Ｆｒは、表示装置４および入力操作パネル５の縁（周縁部）を前方側から覆っている。よって、第一部材３Ｆｒは、ベゼル（フロントベゼル）の一例である。また、第一部材３Ｆｒは、バッテリ１８に面する部分（端部３ｃに位置した（沿った）部分）を除き、露出される。すなわち、第一部材３Ｆｒは、シェルの一例である。
【００５２】
また、第一部材３Ｆｒには、その外周に沿って、他の筐体部材（第二部材３Ｒｒまたは第三部材３Ｍｄ）と結合される結合部３０ｃ，３０ｄ，３０ｅが設けられている。第一部材３Ｆｒのバッテリ収容部３ｓが設けられる側の端部３ｃに沿った部分には、結合部３０ｃと、結合部３０ｄが設けられている。結合部３０ｃは、ねじ１０等の結合具を通す開口部（本実施形態では、一例として貫通孔）として構成される。結合部３０ｃは、ねじ１０等の結合具を介して他の筐体部材（本実施形態では、一例として第三部材３Ｍｄ）の結合部３０ｙ（図１９参照）と結合する。結合部３０ｄ（係部）は、他の筐体部材（本実施形態では、一例として第三部材３Ｍｄ）の結合部３０ｚ（係部、図１９参照）と係わって結合する。また、第一部材３Ｆｒの端部３ｃ以外の端部３ｄ，３ｅ，３ｆに沿った部分には、結合部３０ｅが設けられる。結合部３０ｅ（係部）は、他の筐体部材（本実施形態では、一例として第二部材３Ｒｒ）の結合部３０ｈ（係部、図１８参照）と係わって結合する。結合部３０ｅは、第一係部の一例である。結合部３０ｈは、第二係部の一例である。
【００５３】
また、本実施形態では、一例として、図１８に示されるように、第二部材３Ｒｒ（第二筐体部材）は、正面視および背面視では矩形状（本実施形態では、一例として長方形状）に構成されている。また、第二部材３Ｒｒは、全体として、プレート状に構成されている。具体的には、第二部材３Ｒｒは、壁部３ｍと、壁部３ｎ２（３ｎ），３０ｆとを有する。壁部３ｎ２（３ｎ），３０ｆは、壁部３ｍの周縁部で当該壁部３ｍから起立する。壁部３０ｆは、バッテリ収容部３ｓおよびバッテリ支持部（第二支持部３０ａ２）の一部を構成し、バッテリ１８と面する。第二部材３Ｒｒは、バッテリ１８に面する部分（端部３ｃに位置した（沿った）部分）を除き、露出される。すなわち、第二部材３Ｒｒは、シェルの一例である。
【００５４】
また、壁部３ｍの筐体３Ｂの内側には、他の筐体部材（第一部材３Ｆｒまたは第三部材３Ｍｄ）と結合される結合部３０ｇが設けられている。結合部３０ｇは、ねじ１０等の結合具を介して他の筐体部材（本実施形態では、一例として第三部材３Ｍｄ）の結合部３０ｘ（図１９参照）と結合する。結合部３０ｇは、壁部３ｍから筐体３Ｂの内側に突出した突出部として構成され、結合具が固定される固定部（例えば、雌ねじ孔）を有する。また、壁部３ｍには、部品１６を収容する部品収容部１７が設けられている。また、壁部３０ｆ以外の壁部３ｎには、結合部３０ｈが設けられる。結合部３０ｈ（係部）は、他の筐体部材（本実施形態では、一例として第一部材３Ｆｒ）の結合部３０ｅ（係部、図１７参照）と係わって結合する。
【００５５】
また、第二部材３Ｒｒは、バッテリ収容部３ｓの長手方向端部に位置した第一支持部３０ａ１の一部である突出部３０ｉを有する。この突出部３０ｉは、壁部３０ｊ，３０ｋ，３０ｍ，３０ｎを有する。壁部３０ｊは、壁部３ｎ２（３ｎ）に連なる。壁部３０ｋは、壁部３０ｊと離間して壁部３０ｊに沿う。壁部３０ｍは、壁部３０ｊと壁部３０ｋとに亘り壁部３ｍと連なる。壁部３０ｎは、壁部３０ｍの先端側で壁部３０ｊと壁部３０ｋとに亘る。突出部３０ｉの壁部３０ｊ，３０ｋ，３０ｍ，３０ｎで囲まれた領域には、これら壁部３０ｊ，３０ｋ，３０ｍ，３０ｎによって、筐体３Ｂの内側（端部３ｅ側および壁部３ｋ側）に向けて開放された凹部３１ａ（空間、部品収容部、収容部）が形成されている。なお、壁部３０ｎは、壁部３０ｍに連なり壁部３ｋおよび前面３ａ（図９，１１参照）側に筐体３Ｂの外側に凸に円弧状に湾曲し、端部３ｃおよび側面３ｐの一部を形成している。
【００５６】
また、本実施形態では、一例として、図１９に示されるように、第三部材３Ｍｄ（第三筐体部材）は、正面視および背面視では矩形状（本実施形態では、一例として長方形状）に構成されている。また、第三部材３Ｍｄは、全体として、プレート状に構成されている。具体的には、壁部３２ａ，３０ｐ，３０ｒ，３０ｓを有する。壁部３２ａは、矩形状かつ板状に構成され、表示装置４の背面４ｂ（図２６参照）を支持する。壁部３２ａは、第一壁部の一例である。壁部３０ｐ，３０ｒ，３０ｓは、壁部３２ａの周縁部で当該壁部３２ａから起立される。壁部３０ｐは、端部３ｃに位置し（沿い）、バッテリ収容部３ｓおよびバッテリ支持部（第二支持部３０ａ２）の一部を構成し、バッテリ１８と面する。壁部３０ｐは、側壁の一例である。また、壁部３０ｒは、端部３ｃに位置し（沿い）、壁部３０ｐより筐体３Ｂの内側に位置し、表示装置４の側面４ｃ（図２６参照）に面し（当該側面４ｃを覆い）、当該側面４ｃを支持する。また、壁部３０ｓは、端部３ｄ，３ｅ，３ｆに位置し（沿い）、第一部材３Ｆｒまたは第二部材３Ｒｒの壁部３ｎより筐体３Ｂの内側に位置され、表示装置４の側面４ｃに面し（当該側面４ｃを覆い）、当該側面４ｃを支持する。壁部３ｎと壁部３０ｓとの間には、ハーネスや、基板、コネクタ、等の部品が収容された凹部（空間、部品収容部、収容部）が形成される。壁部３０ｓは、端部の一例である。また、壁部３０ｒ，３０ｓは、第二壁部の一例である。また、壁部３０ｐは、第一端部の一例であり、壁部３０ｓは、第二端部の一例である。
【００５７】
また、第三部材３Ｍｄは、バッテリ収容部３ｓの長手方向端部に位置した第一支持部３０ａ１の一部である突出部３０ｔを有する。この突出部３０ｔは、壁部３０ｕ，３０ｖ，３０ｗを有する。壁部３０ｕは、壁部３２ａと並行して（並行に）設けられる。壁部３０ｖは、壁部３０ｐから当該壁部３０ｐと交叉する方向（本実施形態では、一例として直交する方向）に沿って延びる。また、壁部３０ｖは、壁部３２ａとも交叉する方向（本実施形態では、一例として直交する方向）に沿って延びる。壁部３０ｗは、壁部３０ｕと壁部３０ｖとの先端部間に亘る。これら壁部３０ｕ，３０ｖ，３０ｗによって、筐体３Ｂの内側（端部３ｅ側および壁部３ｍ側）に向けて開放された凹部３１ｂ（空間、部品収容部、収容部）が形成されている。第二部材３Ｒｒに設けられた凹部３１ａと第三部材３Ｍｄに設けられた凹部３１ｂとが、筐体３Ｂの厚さ方向に重なり、バッテリ１８の長手方向の両端部の筐体３Ｂ内に、端部３ｅ側に開放された部品収容部が構成される。
【００５８】
また、第三部材３Ｍｄには、他の筐体部材（第一部材３Ｆｒまたは第二部材３Ｒｒ）と結合される結合部３０ｘ，３０ｙ，３０ｚが設けられている。結合部３０ｘは、壁部３２ａに設けられ、ねじ１０等の結合具を介して他の筐体部材（本実施形態では、一例として第二部材３Ｒｒ）と結合する。結合部３０ｘは、結合部３０ｇ（図１８参照）に対応し、ねじ１０等の結合具（第二結合具）を通す開口部（本実施形態では、一例として貫通孔）として設けられている。また、結合部３０ｙは、壁部３０ｐに設けられ、ねじ１０等の結合具を介して他の筐体部材（本実施形態では、一例として第一部材３Ｆｒ）と結合する。結合部３０ｙは、結合部３０ｃに対応し、ねじ１０等の結合具を結合する結合部（本実施形態では、一例として雌ねじ孔）を有する。また、結合部３０ｚは、壁部３０ｐに設けられ、他の筐体部材（本実施形態では、一例として第一部材３Ｆｒ）の結合部３０ｄ（係部、図１７参照）と係わって結合する。
【００５９】
本実施形態では、バッテリ１８がバッテリ収容部３ｓに収容された（装着された）状態では、第三部材３Ｍｄは筐体３Ｂの外には露出しない。よって、本実施形態では、一例として、第三部材３Ｍｄに対しては塗装等の外見を向上させるための処理が不要となる。また、本実施形態では、一例として、第二部材３Ｒｒと第三部材３Ｍｄとが金属材料で構成され、第一部材３Ｆｒが合成樹脂材料で構成される。すなわち、本実施形態では、一例として、筐体３Ｂの剛性は、主として第二部材３Ｒｒおよび第三部材３Ｍｄによって確保される。よって、その分、第一部材３Ｆｒは、第三部材３Ｍｄが無い場合に比べて剛性を低くすることができる。このように、複数の部材に機能を分けることで、製造の手間を減らすことができる等の利点が得られる場合がある。
【００６０】
また、本実施形態では、一例として、図１９に示されるように、第三部材３Ｍｄの壁部３２ａには、複数の開口部３１ｙ（一例としては貫通孔）が設けられている。この開口部３１ｙにより、一例としては、第三部材３Ｍｄひいては電子機器１Ｂをより軽量に構成することができる。また、一例としては、開口部３１ｙにより、筐体３Ｂ内での通気性が向上しやすい。また、図１２にも示されるように、本実施形態では、一例として、基板６およびファン２４に面した（対向した）領域Ａｓには、開口部３１ｙが設けられず、第二部材３Ｒｒと第三部材３Ｍｄとの間で基板６に対してファン２４の反対側となる領域に面した（対向した）領域Ａｏに、開口部３１ｙが設けられている。この点、本実施形態によれば、一例としては、壁部３２ａの開口部３１ｙを通った空気は、基板６に対してファン２４の反対側となる領域から、基板６のファン２４の反対側の端部６ｃ（縁、図１４参照）の外側を通過して（回り込んで、迂回して）第三部材３Ｍｄに対して基板６の反対側の面（第二面６ｂ）にも流れやすい。
【００６１】
本実施形態では、一例として、図２０，２１に示されるように、バッテリ収容部３ｓは、筐体３Ｂの端部３ｃを切り欠いた部分（凹部、開口部）として設けられている。バッテリ収容部３ｓにバッテリ１８が収容される（装着される）と、図８，９，１１等に示されるように、バッテリ１８の面１８ａと筐体３Ｂの前面３ａとが連なるとともに、バッテリ１８の面１８ａと反対側の面１８ｂと筐体３Ｂの後面３ｂとが連なる。また、面１８ａおよび面１８ｂは、外側に向けて凸となる状態に円弧状に湾曲した面１８ｃ（曲面）によって繋がっている。
【００６２】
本実施形態では、一例として、バッテリ収容部３ｓは、三つの筐体部材（第一部材３Ｆｒ、第二部材３Ｒｒ、および第三部材３Ｍｄ）が組み合わせられて、構成されている。バッテリ１８は、主として、第二部材３Ｒｒおよび第三部材３Ｍｄによって支持される。また、バッテリ１８の一部（本実施形態では、一例として、筐体３Ｂ側の部分、筐体３Ｂの端部３ｃに沿った部分）は、第一部材３Ｆｒ、第二部材３Ｒｒ、および第三部材３Ｍｄによって覆われる。また、本実施形態では、一例として、バッテリ１８の長手方向の両側の端部１８ｄが、第一支持部３０ａ１によって支持され、バッテリ１８の短手方向の一方の端部１８ｅ（筐体３Ｂの端部３ｃに沿った端部）が、第二支持部３０ａ２によって支持される。第一支持部３０ａ１は、第二部材３Ｒｒの突出部３０ｉと第三部材３Ｍｄの突出部３０ｔとを含む。また、第二支持部３０ａ２は、第二部材３Ｒｒの壁部３０ｆと第三部材３Ｍｄの壁部３０ｐとを含む。第一支持部３０ａ１および第二支持部３０ａ２は、バッテリ支持部の一例である。また、本実施形態では、一例として、図２４，２５に示されるように、第二部材３Ｒｒの壁部３０ｆおよび第三部材３Ｍｄの壁部３０ｐは、バッテリ収容部３ｓに面する部分では、筐体３Ｂの厚さ方向に並べて設けられている。
【００６３】
本実施形態では、一例として、図２２，２３に示されるように、バッテリ１８の長手方向の端部１８ｄには、第一支持部３０ａ１と係わる係部１８ｆが設けられる。係部１８ｆは、一例として、バッテリ１８の出入方向（装着方向、着脱方向、本実施形態では、一例として、前面３ａ、端部３ｄ，３ｆに沿った方向、Ｙ方向）に沿った溝（凹部、開口部）として設けられている。これに対応して、第一支持部３０ａ１には、図２０，２１に示されるように、係部１８ｆと係わる係部３１ｃが設けられている。係部３１ｃは、第二部材３Ｒｒおよび第三部材３Ｍｄのうち少なくともいずれか一方（本実施形態では、一例として第二部材３Ｒｒ）に、溝としての係部１８ｆに挿入される突出部（突起、壁）として構成されている。使用者等がバッテリ１８を持ってバッテリ収容部３ｓに近接させ、挿入すると、係部１８ｆが係部３１ｃに案内されながら、バッテリ１８は所定位置（装着位置、結合位置）に移動する。すなわち、係部３１ｃおよび係部１８ｆは、支持部およびガイド部（案内部）の一例である。
【００６４】
また、バッテリ１８の短手方向の端部１８ｅには、コネクタ１８ｇと、第二支持部３０ａ２と係わる係部１８ｈと、が設けられる。コネクタ１８ｇは、バッテリ１８の端部１８ｅから突出している。これに対応して、第二支持部３０ａ２には、図２０，２１に示されるように、コネクタ１８ｇと機械的かつ電気的に接続されるコネクタ３１ｄが設けられている。コネクタ３１ｄは、基板６に電気的に接続され、第二支持部３０ａ２に設けられた開口部３１ｅから露出している。また、係部１８ｈは、バッテリ１８の長手方向に沿って離間した複数箇所（本実施形態では、一例として二箇所）で突出した突出部として設けられている。係部１８ｈの先端部には爪部１８ｉ（係部、フック部、フック）が設けられている。これに対応して、第二支持部３０ａ２には、係部１８ｈが入れられる開口部３１ｆ（凹部）が設けられている。開口部３１ｆは、図２４，２５に示されるように、第二部材３Ｒｒの壁部３０ｆと第三部材３Ｍｄの壁部３０ｐとの境界部分に、それらの隙間（切欠）として構成されている。隙間は、貫通孔より設けやすい。よって、本実施形態によれば、一例として、開口部３１ｆの製造の手間を減らしやすい。また、本実施形態では、一例として、開口部３１ｆ内には、筐体３Ｂ（第二部材３Ｒｒおよび第三部材３Ｍｄのうち少なくとも一方、本実施形態では、一例として双方）にスライド可能（移動可能、変位可能）に支持された係部３１ｇ（可動部）が設けられている。係部３１ｇの先端部には、爪部１８ｉと関わる爪部３１ｊ（係部、フック部、フック）が設けられている。係部３１ｇは、筐体３Ｂに露出した状態に設けられた操作子３１ｈ（部品、スライダ）と接続され、この操作子３１ｈとともに動作する（連動する）。係部３１ｇは、筐体３Ｂに設けられたガイド部３１ｉに案内されて移動する。本実施形態では、一例として、ガイド部３１ｉは、第二部材３Ｒｒの壁部３０ｆと第三部材３Ｍｄの壁部３０ｐとの境界部分に、それらの端部（端縁、縁、辺）間の隙間（切欠、スリット）として構成されている。隙間は、貫通孔より設けやすい。よって、本実施形態によれば、一例として、係部３１ｇに関わる構成の製造の手間を減らしやすい。このような構成において、バッテリ１８がバッテリ収容部３ｓに導入されるのに伴って、開口部３１ｆ内に係部１８ｈが挿入される。バッテリ１８が筐体３Ｂに対する所定位置（装着位置、結合位置）に位置した状態で、使用者の手指等によって操作子３１ｈがフリー側（解除側）からロック側（固定側）へ動かされると、係部３１ｇの爪部３１ｊと係部１８ｈの爪部１８ｉとが係わり、バッテリ１８が所定位置（装着位置、進入位置）でロック（固定）される。
【００６５】
また、本実施形態では、一例として、図２４，２５に示されるように、バッテリ１８によって覆われた第二部材３Ｒｒの壁部３０ｆおよび第三部材３Ｍｄの壁部３０ｐは、その法線方向（Ｙ方向）に凹んだあるいは突出した凹凸形状（凹部および凸部）を有している。これにより、バッテリ１８に覆われた筐体３Ｂの端部３ｃの剛性が向上しやすい。
【００６６】
また、本実施形態では、一例として、図２５，２６に示されるように、第一部材３Ｆｒの結合部３０ｃ，３０ｄは、第二部材３Ｒｒおよび第三部材３Ｍｄのうち少なくともいずれか一方（本実施形態では、一例として第三部材３Ｍｄ）に、筐体３Ｂの外側から結合されている。具体的に、結合部３０ｃは、図２６に示されるように、ねじ１０等の結合具が通される開口部３１ｋが設けられた突出部３１ｍを有する。突出部３１ｍは、壁部３ｋから壁部３ｍ側に向けて筐体３Ｂの厚さ方向に突出している。この突出部３１ｍは、第三部材３Ｍｄの壁部３０ｐおよび第二部材３Ｒｒの壁部３０ｆの面（外面）に沿って延びている。すなわち、突出部３１ｍは、壁部３０ｐ，３０ｆを筐体３Ｂの外側から覆っている。また、結合部３０ｄ（係部）は、図２５に示されるように、第二部材３Ｍｄの壁部３０ｐの壁部３ｋ側の端部に設けられた結合部３０ｚ（係部）に、筐体３Ｂの外側から係わっている。このように、第一部材３Ｆｒの結合部３０ｃ，３０ｄが、第二部材３Ｒｒおよび第三部材３Ｍｄのうち少なくともいずれか一方を、筐体３Ｂの外側から覆った構成では、一例としては、バッテリ１８を外した状態で、結合部３０ｃ，３０ｄによる結合を解除しやすい。
【００６７】
また、本実施形態では、一例として、図２６に示されるように、第一部材３Ｆｒの結合部３０ｃと第二部材３Ｒｒおよび第三部材３Ｍｄのうち少なくともいずれか一方（本実施形態では、一例として第三部材３Ｍｄ）の結合部３０ｙに結合されるねじ１０は、表示装置４に対して表示画面４ａの反対側に位置される。よって、一例としては、ねじ１０が表示装置４に対して表示画面４ａに沿った方向に重なった（ねじ１０が表示装置４に対して側面４ｃの法線方向に位置された）場合に比べて、正面視で表示画面４ａの側面４ｃ（縁）から筐体３Ｂが外側へ張り出す長さをより小さくすることができる。よって、一例としては、表示装置４の大きさに対する筐体３Ｂの大きさがより小さくなりやすい。
【００６８】
また、本実施形態の構成では、突出部３１ｍが壁部３ｋから離れる方向に延び、突出部３１ｍの突端（先端、端部）と結合部３０ｄとが離間している。よって、一例としては、作業者が、結合部３０ｃと結合部３０ｙとの結合を解除した後、突出部３１ｍ（の先端部）に、手指や工具（例えば、マイナスドライバ）等によって壁部３０ｐ，３０ｆから離間する方向（図２６の右方向、右上方向）に力を作用させる場合に、結合部３０ｄに対するモーメントアームがより長くなるため、結合部３０ｄと結合部３０ｚとの係わりを解除しやすくなる。また、ねじ１０を表示装置４の背後側に設けた場合には、モーメントアームがより長くなりやすい。なお、突出部３１ｍの根元部分（基端部分）には、突出部３１ｍと壁部３ｋとの双方と交叉する方向に延びた突出部３１ｐ（壁部、リブ）が設けられる。よって、本実施形態によれば、突出部３１ｍが曲がった際に、根元部分が変形するのが抑制されやすい。
【００６９】
また、本実施形態では、一例として、図２５，２６に示されるように、壁部３ｋが壁部３０ｐから筐体３Ｂの中心から離れる方向に張り出している（突出している）。よって、一例としては、作業者が、結合部３０ｃと結合部３０ｙとの結合を解除した後、壁部３ｋの端部３ｋ１（縁部、辺部）に、手指や工具等によって壁部３ｍから離間する方向（図２６の上方向、左上方向）に力を作用させる場合に、結合部３０ｄに対するモーメントアームがより長くなるため、結合部３０ｄと結合部３０ｚとの係わりを解除しやすくなる。また、壁部３ｋの張出部分に対応して、バッテリ１８に開口部１８ｊが設けられている。よって、筐体３Ｂの厚さが大きくなりにくい。
【００７０】
また、本実施形態では、一例として、図２７〜２９に示されるように、バッテリ収容部３ｓ側の端部３ｃ以外の端部３ｄ，３ｅ，３ｆでは、第一部材３Ｆｒと第二部材３Ｒｒおよび第三部材３Ｍｄのうち少なくともいずれか一方（本実施形態では、一例として第二部材３Ｒｒ）との結合部３０ｅ，３０ｈは、筐体３Ｂの壁部３ｎより筐体３Ｂの内側に位置されている。すなわち、結合部３０ｅ，３０ｈが、第一部材３Ｆｒおよび第三部材３Ｍｄのうち少なくともいずれか一方に覆われている。よって、本実施形態によれば、一例としては、結合部３０ｅ，３０ｈが露出するのを抑制することができる。よって、例えば、結合が解除されやすくなる、美観が損なわれやすくなる等、結合部３０ｅ，３０ｈが筐体３Ｂの外に露出することによる不都合が生じるのを抑制することができる。
【００７１】
また、本実施形態では、一例として、第一部材３Ｆｒと第二部材３Ｒｒおよび第三部材３Ｍｄのうち少なくともいずれか一方との結合は、バッテリ１８に覆われた結合部３０ｃと結合部３０ｙとの結合がねじ１０等の結合具を介しての結合であるのを除き、結合部３０ｃ，３０ｙ同士の係わり（引っ掛かり）による。よって、本実施形態によれば、一例としては、係わりより強固な結合具を介しての結合部を少なくとも一つの端部３ｃに設けることで、第一部材３Ｆｒと第二部材３Ｒｒおよび第三部材３Ｍｄのうち少なくともいずれか一方とのより確実な結合状態を確保することができるとともに、例えば、嵩張りやすくなったり重量が増大しやすくなったりといった、結合具を介しての結合箇所が増えることによって不都合が生じるのを抑制することができる。
【００７２】
バッテリ収容部３ｓ側の端部３ｃ以外の端部３ｄ，３ｅ，３ｆの結合部３０ｅ，３０ｈにおける、第一部材３Ｆｒと第二部材３Ｒｒおよび第三部材３Ｍｄのうち少なくともいずれか一方とのでの結合（係わり）は、第一部材３Ｆｒと第二部材３Ｒｒおよび第三部材３Ｍｄのうち少なくともいずれか一方とを、表示画面４ａに沿った方向に近付けて結合してもよいし、表示画面４ａと交叉した方向に近付けて結合してもよい。表示画面４ａに沿った方向に近付けて結合される構成（所謂スナップフィット方式）では、着脱がより容易に行われやすい。一方、表示画面４ａと交叉した方向に近付けて結合される構成（所謂スライド方式）では、所謂スナップフィット方式の構成に比べて、結合部３０ｅ，３０ｈの係わる部分をより大きく構成することができ、結合部３０ｅ，３０ｈによる結合力がより大きくなりやすい。
【００７３】
また、本実施形態では、一例として、図１２，３０に示されるように、第二部材３Ｒｒと第三部材３Ｍｄとは、ねじ１０等の結合具（第二結合具）によって結合され、その結合具による結合部３０ｘ，３０ｇ（図１８，１９参照）が表示装置４または第一部材３Ｆｒで覆われている。よって、本実施形態によれば、一例としては、主として剛性および強度を保つ二つの筐体部材としての第二部材３Ｒｒと第三部材３Ｍｄとの結合部３０ｘ，３０ｇが筐体３Ｂの外に露出するのを抑制することができる。よって、例えば、結合が解除されやすくなる、美観が損なわれやすくなる等、結合部３０ｘ，３０ｇが露出することによる不都合が生じるのを抑制することができる。
【００７４】
また、本実施形態では、一例として、第三部材３Ｍｄの壁部３２ａには、第二部材３Ｒｒ側に向けて凹んだ凹部３１ｒ（開口部）が設けられている。具体的に、凹部３１ｒは、対向した端部３ｄ，３ｆ間に亘って、端部３ｃ，３ｅと並行して（平行に）設けられ、その凹部３１ｒの境界部分に、段差状（傾斜面状）の壁部３１ｓが設けられている。壁部３１ｓにより、第三部材３Ｍｄの剛性が向上しやすくなる。よって、本実施形態によれば、一例として、凹部３１ｒによって、表示装置４の基板４ｄが収容されるスペース（空間、領域）を確保しながら、第三部材３Ｍｄの剛性が向上しやすくなる。
【００７５】
そして、本実施形態にあっても、図２９に示される端部３ｅでの結合部３０ｅ，３０ｈの結合は、図３に示される上記第１実施形態での端部３ｃでの結合部３０ｅ，３０ｈの結合と全く同様である。さらに、図２６に示される端部３ｃでの結合部３０ｃ，３０ｙの結合は、図４に示される上記第１実施形態での端部３ｅでの結合部３０ｃ，３０ｙの結合と全く同様である。したがって、本実施形態にあっても、上記第１実施形態と同様の効果を得ることができる。
【００７６】
＜第１変形例＞
本変形例にかかる電子機器１Ｃでは、一例として、図３１に示されるように、二つの筐体３Ｃ１，３Ｃ２がヒンジユニット１８Ｃを介して回動可能に接続されている。本変形例では、筐体３Ｃ１，３Ｃ２の端部３ｃに設けられた上記実施形態と同様の結合部３０ｃ，３０ｙ（ただし、図３１には図示されず）ならびに結合具としてのねじ１０（ただし、図３１には図示されず）が、バッテリ等のモジュールではなく、機能部品としてのヒンジユニット１８Ｃで覆われることができる。本変形例の構成でも、上記実施形態と同様の効果が得られる。なお、ヒンジユニット１８Ｃには、コネクタ１８ｋや、スイッチ１８ｍ（操作部）、バッテリ１８ｎ等が設けられうる。
【００７７】
＜第２変形例＞
本変形例にかかる電子機器１Ｄでは、図３２，３３に示されるように、筐体３Ｄは、第一部材３Ｆｒと第二部材３Ｒｒとを含む。第一部材３Ｆｒおよび第二部材３Ｒｒの一端部（図３２，３３の左側の端部）は、結合部３０ｅ，３０ｈ（係部、爪部）によって結合され、他端部（図３２，３３の右側の端部）は、結合部３０ｃ，３０ｙ（係部、爪部）によって結合されている。また、本変形例でも、結合部３０ｈが、結合部３０ｅの筐体外側に位置され、結合部３０ｙが、結合部３０ｃの筐体内側に位置されている。そして、結合部３０ｃ，３０ｙの少なくとも一部を覆うように、筐体３Ｄには、機能部品（モジュール）としてのバッテリ１８Ｄが着脱可能に取り付けられる。バッテリ１８Ｄのコネクタ１８ｇは、結合部３０ｃ，３０ｙとは外れた位置に設けられたコネクタ３１ｄに結合され、電気的に接続される。バッテリ１８Ｄには開口部（凹部）１８ｊが設けられている。この開口部１８ｊ内に、結合部３０ｃ，３０ｙの少なくとも一部が収容されている。少なくとも結合部３０ｃ，３０ｙは、いずれも筐体３Ｄの厚さ方向（図３２，３３の上下方向）に近付いて結合される（所謂スナップフィット方式）。このような構成によっても、一例としては、上記実施形態や変形例と同様の効果が得られる。また、本変形例によれば、一例としては、バッテリ１８Ｄに開口部１８ｊが設けられる場合に、その開口部１８ｊを有効に利用して、結合部３０ｃ，３０ｙを位置させることができる。また、本変形例によれば、一例としては、筐体３Ｄ内に電子部品１２として表示装置が収容される場合、当該表示装置を結合部３０ｃ，３０ｙ側の端部により寄せて設けることができる。なお、図３２，３３には図示されていないが、結合部３０ｃ，３０ｙあるいは他の部分で、第一部材３Ｆｒおよび第二部材３Ｒｒをねじ等の結合具によって結合することができる。
【００７８】
＜第３変形例＞
本変形例にかかる電子機器１Ｅでは、図３４，３５に示されるように、筐体３Ｅは、第一部材３Ｆｒと第二部材３Ｒｒとを含む。第一部材３Ｆｒおよび第二部材３Ｒｒの一端部（図３４，３５の左側の端部）は、結合部３０ｅ，３０ｈ（係部、爪部）によって結合され、他端部（図３４，３５の右側の端部）は、結合部３０ｃ，３０ｙ（係部、爪部）によって結合されている。また、本変形例でも、結合部３０ｈが、結合部３０ｅの筐体外側に位置され、結合部３０ｙが、結合部３０ｃの筐体内側に位置されている。そして、結合部３０ｃ，３０ｙの少なくとも一部を覆うように、筐体３Ｅには、機能部品（モジュール）としてのバッテリ１８Ｅが着脱可能に取り付けられる。バッテリ１８Ｅのコネクタ１８ｇは、結合部３０ｃ，３０ｙとは外れた位置に設けられたコネクタ３１ｄに結合され、電気的に接続される。バッテリ１８Ｅには開口部（凹部）１８ｊが設けられている。この開口部１８ｊ内に、結合部３０ｃ，３０ｙの少なくとも一部が収容されている。結合部３０ｅ，３０ｈならびに結合部３０ｃ，３０ｙは、いずれも筐体３Ｅの厚さ方向と交叉した方向（直交方向、図３４，３５の左右方向）に近付いて結合される（所謂スライド方式）。また、二つの端部のうち一方側の結合部３０ｃ，３０ｙについては、厚さ方向と交叉した方向（直交方向、スライド方向）について、突起３０ｃ１，３０ｙ１（爪、係部）によるスナップフィット機構（抜止機構、抜止部、結合部、係部）が構成されている。このような構成によっても、一例としては、上記実施形態や変形例と同様の効果が得られる。また、本変形例でも、一例としては、バッテリ１８Ｅに開口部１８ｊが設けられる場合に、その開口部１８ｊを有効に利用して、結合部３０ｃ，３０ｙを位置させることができる。また、本変形例でも、一例としては、筐体３Ｅ内に電子部品１２として表示装置が収容される場合、当該表示装置を結合部３０ｃ，３０ｙ側の端部により寄せて設けることができる。なお、図３４，３５には図示されていないが、結合部３０ｃ，３０ｙあるいは他の部分で、第一部材３Ｆｒおよび第二部材３Ｒｒをねじ等の結合具によって結合することができる。
【００７９】
＜第４変形例＞
本変形例にかかる電子機器１Ｆでは、図３６に示されるように、筐体３Ｆは、第一部材３Ｆｒと第二部材３Ｒｒとを含む。第一部材３Ｆｒおよび第二部材３Ｒｒの一端部（図３６の左側の端部）は、結合部３０ｅ，３０ｈ（係部、爪部）によって結合され、他端部（図３６の右側の端部）は、結合部３０ｃ，３０ｙ（係部、爪部）によって結合されている。また、本変形例でも、結合部３０ｈが、結合部３０ｅの筐体外側に位置され、結合部３０ｙが、結合部３０ｃの筐体内側に位置されている。ただし、本変形例では、結合部３０ｃ，３０ｙは、バッテリ等の機能部品（モジュール）では覆われていない。結合部３０ｅ，３０ｈならびに結合部３０ｃ，３０ｙは、いずれも筐体３Ｆの厚さ方向と交叉した方向（直交方向）に近付いて結合される（所謂スライド方式）。また、二つの端部のうち一方側の結合部３０ｃ，３０ｙについては、厚さ方向と交叉した方向（直交方向、スライド方向）について、突起３０ｃ１，３０ｙ１（爪、係部）によるスナップフィット機構（抜止機構、抜止部、結合部、係部）が構成されている。このような構成によっても、一例としては、上記実施形態や変形例と同様の効果が得られる。なお、図３６には図示されていないが、結合部３０ｃ，３０ｙあるいは他の部分で、第一部材３Ｆｒおよび第二部材３Ｒｒをねじ等の結合具によって結合することができる。
【００８０】
以上、本発明の実施形態について説明したが、上記実施形態は一例に過ぎない。本発明は上記実施形態には限定されず、種々の変形が可能である。例えば、結合部として、ねじ以外のクリップ等を用いることができる。また、モジュールや機能部品として、バッテリ以外の部品（例えば、ＨＤＤユニットや、ＯＤＤ（optical disk drive）ユニット等）を用いることができる。また、上記各実施形態の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
また、以下に、本願原出願の特許査定時の特許請求の範囲に記載された発明を付記する。
［１］
表示画面と当該表示画面を外れて位置した縁部とを有した表示装置と、
前記表示画面の前記縁部の少なくとも一部を覆った第一筐体部と、
前記表示装置の前記表示画面とは反対側に位置された第二筐体部と、
前記表示装置の前記表示画面とは反対側で前記第二筐体部と前記表示装置との間に位置された第三筐体部と、
前記第一筐体部の一端部に設けられた第一結合部と、
前記第二筐体部および前記第三筐体部のうち少なくとも一方の一端部で前記第一結合部の筐体外側に設けられ前記第一結合部と結合される第二結合部と、
前記第一筐体部の他端部に設けられた第三結合部と、
前記第二筐体部および前記第三筐体部のうち少なくとも一方の他端部で前記第三結合部の筐体内側に設けられ前記第三結合部と結合される第四結合部と、
前記第三結合部と前記第四結合部とを結合し、少なくとも一部が前記第三結合部の筐体外側に位置される結合具と、
前記第二筐体部および前記第三筐体部のうち少なくとも一つに取り付けられ、前記結合具を筐体外側から覆うモジュールと、
を備えたテレビジョン受像機。
［２］
前記第三結合部と前記第四結合部とは前記表示画面の交叉方向に近付いて結合された、［１］に記載のテレビジョン受像機。
［３］
前記第三結合部と前記第四結合部とは前記表示画面に沿った方向に近付いて結合された、［１］に記載のテレビジョン受像機。
［４］
前記第三結合部の少なくとも一部は、前記モジュールに設けられた凹部に収容された、［１］〜［３］のうちいずれか一つに記載のテレビジョン受像機。
［５］
前記結合具が前記表示装置の前記表示画面とは反対側に位置された、［１］〜［４］のうちいずれか一つに記載のテレビジョン受像機。
［６］
前記結合具は、前記表示画面に沿った方向に延びた、［５］に記載のテレビジョン受像機。
［７］
前記第三結合部と前記第四結合部とは前記結合具によって所定範囲内で変位可能に接続された、［５］または［６］に記載のテレビジョン受像機。
［８］
前記第二筐体部と前記第三筐体部とを結合する第二結合具を備え、
前記第二結合具の少なくとも一部は、前記表示装置で覆われた、［１］〜［７］のうちいずれか一つに記載のテレビジョン受像機。
［９］
前記第一筐体部は合成樹脂材料で構成され、前記第二筐体部および前記第三筐体部は金属材料で構成された、［１］〜［８］のうちいずれか一つに記載のテレビジョン受像機。
［１０］
電子部品の一部を覆った第一筐体部と、
前記第一筐体部で覆われた部分とは異なる前記電子部品の部分を覆った第二筐体部と、
前記第一筐体部の一端部に設けられた第一結合部と、
前記第二筐体部の一端部で前記第一結合部の筐体外側に設けられ前記第一結合部と結合される第二結合部と、
前記第一筐体部の他端部に設けられた第三結合部と
前記第二筐体部の他端部で前記第三結合部の筐体内側に設けられ前記第三結合部と結合される第四結合部と、
前記第二筐体部に取り付けられ、前記第三結合部を覆った機能部品と、
を備えた電子機器。
【符号の説明】
【００８１】
１Ａ…テレビジョン受像機（電子機器）、１Ｂ〜１Ｆ…電子機器、４…表示装置、４ａ…表示画面、４ｂ…縁部、３Ｆｒ…第一部材（第一筐体部）、３Ｒｒ…第二部材（第二筐体部）、３Ｍｄ…第三部材（第三筐体部）、１０…ねじ（結合具、第二結合具）、１８…バッテリ（モジュール、機能部品）、１８ｊ…凹部、３０ｅ…第一結合部、３０ｈ…第二結合部、３０ｃ…第三結合部、３０ｙ…第四結合部。
【図１】
0005439577.tif 000002
【図２】
0005439577.tif 000003
【図３】
0005439577.tif 000004
【図４】
0005439577.tif 000005
【図５】
0005439577.tif 000006
【図６】
0005439577.tif 000007
【図７】
0005439577.tif 000008
【図８】
0005439577.tif 000009
【図９】
0005439577.tif 000010
【図１０】
0005439577.tif 000011
【図１１】
0005439577.tif 000012
【図１２】
0005439577.tif 000013
【図１３】
0005439577.tif 000014
【図１４】
0005439577.tif 000015
【図１５】
0005439577.tif 000016
【図１６】
0005439577.tif 000017
【図１７】
0005439577.tif 000018
【図１８】
0005439577.tif 000019
【図１９】
0005439577.tif 000020
【図２０】
0005439577.tif 000021
【図２１】
0005439577.tif 000022
【図２２】
0005439577.tif 000023
【図２３】
0005439577.tif 000024
【図２４】
0005439577.tif 000025
【図２５】
0005439577.tif 000026
【図２６】
0005439577.tif 000027
【図２７】
0005439577.tif 000028
【図２８】
0005439577.tif 000029
【図２９】
0005439577.tif 000030
【図３０】
0005439577.tif 000031
【図３１】
0005439577.tif 000032
【図３２】
0005439577.tif 000033
【図３３】
0005439577.tif 000034
【図３４】
0005439577.tif 000035
【図３５】
0005439577.tif 000036
【図３６】
0005439577.tif 000037